(57)【要約】【課題】  弁当箱の蓋の上面に設けた箸入れの蓋の取付け構造を改良して、箸入れの蓋を全開できるようにするとともに、蓋の破損を防止し、かつ、洗浄し易くする。【解決手段】  弁当箱１の蓋２の上面に、蓋付きの箸入れ３を備えた弁当箱において、弁当箱の蓋の上面の長さ方向に沿う一側に前記箸入れを設け、弁当箱の蓋の中央部側若しくは該蓋の側縁側に近い位置に軸線を具えて、該箸入れの両端に、箸入れの蓋４のヒンジ軸５を設けるとともに、このヒンジ軸５の軸受７を、前記弁当箱の蓋の上面よりも高い位置に形成して、箸入れの蓋４をほぼ１８０°に全開できるように構成した弁当箱である。【選択図】  図１
2006102027.tif 000002
【特許請求の範囲】
【請求項１】
弁当箱の蓋の上面に蓋付きの箸入れを備えた弁当箱において、弁当箱の蓋の上面の長さ方向に沿う一側に前記箸入れを設け、弁当箱の蓋の中央部側または他方の側のいずれか一方に近づけて該箸入れの両端に、箸入れの蓋のヒンジ軸を設けるとともに、このヒンジ軸の軸受を、前記弁当箱の蓋の上面よりも高い位置に形成することによって、箸入れの蓋をほぼ１８０°に全開できるように構成したことを特徴とする弁当箱。
【請求項２】
前記弁当箱は、弁当箱本体とその蓋と、箸入れの蓋とそのヒンジ軸部が樹脂製であることを特徴とする請求項１記載の弁当箱。
【発明の詳細な説明】
【技術分野】
【０００１】
本発明は、主として、蓋付きの箸入れを備えた樹脂製の弁当箱に関し、箸入れの蓋をほぼ１８０°に全開できるようにしたことを特長とするものである。
【背景技術】
【０００２】
従来、蓋付きの箸入れを備えたこの種の弁当箱には、例えば、特許文献１に示されるように、弁当箱本体の外側面に箸入れを備えたものとか、特許文献２に示されるように、弁当箱本体の蓋の上面にくぼみを付けて蓋付きの箸入れを備えるようにしたものがある。
また、樹脂製の弁当箱においては、図３に示すようにして、弁当箱本体の蓋の上面に蓋付きの箸入れを設けるようにしたものがある。
【０００３】
【特許文献１】特開平５−８４１０９号公報（例えば、第１頁参照）
【特許文献２】実開平７−１８６３０号公報（例えば、第１頁参照）
【０００４】
特許文献１の弁当箱は、弁当箱本体の外側面に備えた箸入れが本体の側面外に出っ張り、スライド式の蓋を備えているので、携行時、使用時、洗浄時にそれぞれ不便がある。
また、特許文献２の弁当箱は、箸入れ部分の構造が複雑でコスト高になる欠点と、箸入れの蓋を開くと弁当箱の蓋の外側に大きく張り出すので、安定性と耐用性に欠ける欠点がある。
また、図３に示す樹脂製の弁当箱は、上記２例に比べて箸入れの蓋の構造を強固にすることができ、携行時、使用時、洗浄時にそれぞれ有利であるが、図示するように、箸入れの蓋のヒンジ部が、弁当箱本体の蓋の上面が形成する平面よりも下方に位置しているので、蓋の基部と箸入れのくぼみの縁とが接触して１８０°に全開できない欠点がある。また、開いている箸入れの蓋にさらに開く方向の衝撃が加わるとヒンジ部が破損するおそれもある。
【発明の開示】
【発明が解決しようとする課題】
【０００５】
以上のことから、本発明が解決しようとする問題点は、蓋付きの箸入れを備えた弁当箱において、携行時、使用時、洗浄時にそれぞれ便利であって、さらに箸入れの蓋の構造を強固にすることにある。
【課題を解決するための手段】
【０００６】
そこで本発明は、上記の課題を解決するために、弁当箱の蓋の上面に、蓋付きの箸入れを備えた弁当箱において、弁当箱の蓋の上面の長さ方向に沿う一側に前記箸入れを設け、弁当箱の蓋の中央部側または他方の側のいずれか一方に近づけて該箸入れの両端に、箸入れの蓋のヒンジ軸を設けるとともに、このヒンジ軸の軸受を、前記弁当箱の蓋の上面よりも高い位置に形成することによって、箸入れの蓋をほぼ１８０°に全開できるように構成したことを特徴とする弁当箱を提供するものである。
【発明の効果】
【０００７】
本発明に係る弁当箱は、図２に示すように、箸入れの蓋が弁当箱の蓋の上面に沿うようにほぼ１８０°に全開できるので、使用時、洗浄時にそれぞれ邪魔にならず便利である。また、箸入れの蓋が携行時、使用時、洗浄時ともに弁当箱の蓋の上面に沿うようになるので耐久性がある。
本発明は、以上のようにして前記の課題を解決したものである。
【発明を実施するための最良の形態】
【０００８】
弁当箱の蓋の上面に、蓋付きの箸入れを備えた弁当箱において、弁当箱の蓋の上面の長さ方向に沿う一側に箸入れを設ける。
弁当箱の蓋の中央部側または他側に近づけて該箸入れの両端に、箸入れの蓋のヒンジ軸を設ける。
該ヒンジ軸の軸受を弁当箱の蓋の上面よりも高い位置に形成することによって、箸入れの蓋をほぼ１８０°に全開できるように構成する。
上記弁当箱の弁当箱本体とその蓋と、箸入れの蓋とそのヒンジ軸部を樹脂製にする。
上記の構成からなる弁当箱である。
【実施例】
【０００９】
以下に、本発明の実施例を図面について説明する。  
図１は、実施例の態様を示す縦断面図、図２は、箸入れの蓋の開放状態を示す一部拡大立面図、図３は、従来例の一部拡大立面図である。
【００１０】
この実施例は、本発明を、クランプレバー付き２段型の樹脂製弁当箱に用いた場合のものである。
実施例を示す図において、１は、上段の弁当箱本体、２は、弁当箱本体１の蓋、３は、蓋２の上面の長さ方向に沿う一側に一体形成した箸入れ、４は、箸入れ３を開閉自在に覆う蓋、５は、箸入れ３の蓋４のヒンジ軸、６は、ヒンジ軸５との間に若干の間隙を形成して該軸５の回転を許容するように箸入れ３の側縁に形成した凹部である。
【００１１】
箸入れの蓋４のヒンジ軸５の両端は、図２に明示するように、弁当箱本体１の蓋２の上面より上方に箸入れ３の長さ方向に沿う両端に形成した軸受７にヒンジされている。
なお、図中、８は下段の弁当箱本体、９は、下段の弁当箱７を密封する密封蓋、１０は、上段の弁当箱１の蓋２の両側に上端部１０’の両端をそれぞれヒンジされて、上下２段の弁当箱１、７を緊締するクランプレバーである。
【００１２】
上記のようにヒンジ軸５の軸受６を弁当箱の蓋２の上面より上方に形成した箸入れの蓋４は、閉じた状態で蓋２の上面に沿って図２に示すように箸入れ３を覆い、同図矢印方向に全開すると、ほぼ１８０°回転して背面側を弁当箱の蓋２の上面に沿わせて仰向けになる。
したがって、閉じた状態、全開状態では共に弁当箱の蓋２の上面に重ね合わされて、蓋２の上に大きく突出する部分を形成することがない。
【００１３】
そのため、弁当箱本体１とその蓋２と、箸入れの蓋４とそのヒンジ軸５および軸受６を樹脂製にした場合に、前記従来製品に比べて耐用性とともに耐久性が著しく向上する。
【産業上の利用可能性】
【００１４】
本発明に係る弁当箱は、実施例のような２段型の弁当箱に限らず、１段型の弁当箱にも適用できることはいうまでもない。また、箸入れの蓋の開閉位置は、実施例のように弁当箱の蓋の中央部側に偏らせないで、ヒンジの軸線を該蓋の側縁側に近づけて設ける場合もある。
さらに本発明の実施に際して、各部の寸法など各部の形態は、本発明の目的に沿って、実施例の態様のみに限定されるものではない。
【図面の簡単な説明】
【００１５】
【図１】実施例の態様を示す縦断面図である。
【図２】箸入れの蓋の開放状態を示す一部拡大立面図である。
【図３】従来例の一部拡大立面図である。
【符号の説明】
【００１６】
１  弁当箱（本体）
２  弁当箱の蓋
３  箸入れ
４  箸入れの蓋
５  ヒンジ軸
６  凹部
７  軸受
８  下段の弁当箱
９  密封蓋
１０  クランプレバー  （１０’  上端部）
【図１】
2006102027.tif 000003
【図２】
2006102027.tif 000004
【図３】
2006102027.tif 000005